(57)【特許請求の範囲】
【請求項１】
交流電源から交流電圧が供給されると、前記交流電圧を直流に変換して所定の直流電圧を出力する電源部と、
前記交流電圧が供給されると、前記交流電圧のゼロクロスタイミングを検出してゼロクロス信号を出力するゼロクロス回路と、
所定周期のクロックを発生するクロック発生手段と、
前記ゼロクロス信号に基づき、前記クロックを前記ゼロクロスタイミングに同期させ、前記ゼロクロスタイミングに同期した前記クロックのタイミングで第１スイッチ切替信号及び第２スイッチ切替信号を出力するゼロクロス制御部と、
前記第１スイッチ切替信号によりオン／オフ動作し、前記電源部に対する前記交流電圧の供給／遮断を行う第１スイッチ手段と、
前記第２スイッチ切替信号によりオン／オフ動作し、前記ゼロクロス回路に対する前記交流電圧の供給／遮断を行う第２スイッチ手段と、を備え、
前記ゼロクロス制御部は、前記クロックを前記ゼロクロスタイミングに同期させることが終了すると、前記第２スイッチ切替信号を出力し、前記第２スイッチ手段をオフして前記ゼロクロス回路に対する前記交流電圧の供給を遮断した後に、前記第１スイッチ切替信号により前記第１スイッチ手段のオン／オフ動作を制御して前記電源部に対する前記交流電圧の供給／遮断を行うことを特徴とする電源装置。
【請求項２】
前記第１スイッチ手段及び前記第２スイッチ手段は、リレー及びフォトトライアックを含むスイッチング素子によりそれぞれ構成されていることを特徴とする請求項１記載の電源装置。
【請求項３】
前記クロック発生手段は、タイマにより構成されていることを特徴とする請求項１又は２記載の電源装置。
【請求項４】
請求項１〜３のいずれか１項に記載の電源装置を備え、
前記ゼロクロス信号又は前記所定の直流電圧に基づき制御されて、記録媒体に画像を形成することを特徴とする画像形成装置。
【発明の詳細な説明】
【技術分野】
【０００１】
本発明は、交流（以下「ＡＣ」という。）電源から供給されるＡＣ電圧のゼロクロスタイミングを検出し、このタイミングに基づき、ＡＣ電圧を直流（以下「ＤＣ」という。）に変換して所定のＤＣ電圧を出力する電源装置と、これを用いた画像形成装置に関するものである。
【背景技術】
【０００２】
複写機、プリンタ、ファクシミリ装置（以下「ＦＡＸ」という。）等の画像形成装置において、ＡＣ電源を用いて定着器のヒータ等を駆動する際に、トライアック等のスイッチング素子を用いて電力制御を行っている。スイッチング素子をオン状態にするタイミングの基準として、ＡＣ電源波形の半波のゼロクロスポイントを示す信号であるゼロクロス信号を基に制御を行っている。
【０００３】
例えば、特許文献１に記載された従来の電源装置におけるゼロクロス検出は、フォトカプラの入力端子に接続されたＡＣ電圧によってフォトカプラ内の発光素子（例えば、フォトダイオード）が点灯し、出力側の受光素子（例えば、フォトトランジスタ）をオン／オフすることで出力信号が出力され、一定周期のパルスからなるゼロクロス信号を得ることができる構成になっている。
【０００４】
即ち、ＡＣ電源の電圧に比例してフォトダイオードの発光量が変化し、ＡＣ電源の電圧（絶対値）が所定値以下に低下した時にフォトトランジスタをオンすることができない光量となり、その結果、出力側にゼロクロス信号を出力する構成になっている。
【先行技術文献】
【特許文献】
【０００５】
【特許文献１】特開２００４−４０９１３号公報
【発明の概要】
【発明が解決しようとする課題】
【０００６】
しかしながら、従来の電源装置及びこれを用いた画像形成装置では、ゼロクロス検出を常時行っているため、無駄な電力消費をしているという課題があった。
【課題を解決するための手段】
【０００７】
本発明の内の第１の発明の電源装置は、ＡＣ電源からＡＣ電圧が供給されると、前記ＡＣ電圧をＤＣに変換して所定のＤＣ電圧を出力する電源部と、前記ＡＣ電圧が供給されると、前記ＡＣ電圧のゼロクロスタイミングを検出してゼロクロス信号を出力するゼロクロス回路と、所定周期のクロックを発生するクロック発生手段と、前記ゼロクロス信号に基づき、前記クロックを前記ゼロクロスタイミングに同期させ、前記ゼロクロスタイミングに同期した前記クロックのタイミングで第１スイッチ切替信号及び第２スイッチ切替信号を出力するゼロクロス制御部と、前記第１スイッチ切替信号によりオン／オフ動作し、前記電源部に対する前記ＡＣ電圧の供給／遮断を行う第１スイッチ手段と、前記第２スイッチ切替信号によりオン／オフ動作し、前記ゼロクロス回路に対する前記ＡＣ電圧の供給／遮断を行う第２スイッチ手段とを備えている。
【０００８】
そして、前記ゼロクロス制御部は、前記クロックを前記ゼロクロスタイミングに同期させることが終了すると、前記第２スイッチ切替信号を出力し、前記第２スイッチ手段をオフして前記ゼロクロス回路に対する前記交流電圧の供給を遮断した後に、前記第１スイッチ切替信号により前記第１スイッチ手段のオン／オフ動作を制御して前記電源部に対する前記交流電圧の供給／遮断を行うことを特徴とする。
【００１１】
第２の発明の画像形成装置は、第１の発明の電源装置を備え、前記ゼロクロス信号又は前記所定のＤＣ電圧に基づき制御されて、記録媒体に画像を形成することを特徴とすることを特徴とする。
【発明の効果】
【００１２】
第１の発明の電源装置によれば、クロック発生手段から出力されるクロックに基づきゼロクロスタイミングを推定し、第２スイッチ手段によってゼロクロス回路への電力供給を接続／遮断する構成にしている。これにより、ゼロクロス回路での無駄な消費電力を大幅に削減することができる。
【００１３】
第２の発明の画像形成装置によれば、第１の発明の電源装置を用いて構成されている。これにより、ゼロクロス回路での消費電力が大幅に削減されるので、画像形成装置の消費電力を大幅に削減することができる。
【図面の簡単な説明】
【００１４】
【図１】図１は本発明の実施例１における電源装置の構成を示すブロック図である。
【図２】図２は図１の電源装置の構成例を示す回路図である。
【図３】図３は図２の電源装置におけるゼロクロス検出時の各部波形を示す波形図である。
【図４】図４は図２の電源装置においてリレー２１をオフした時の各部波形を示す波形図である。
【図５】図５は図２の電源装置における詳細な動作を示すタイムチャートである。
【図６】図６は本発明の実施例１における画像形成装置の位相制御例を示すヒータ制御回路の回路図である。
【図７】図７は本発明の実施例２における電源装置の構成を示すブロック図である。
【図８】図８は図７の電源装置の構成例を示す回路図である。
【図９】図９は図８の電源装置における詳細な動作を示すタイムチャートである。
【発明を実施するための形態】
【００１５】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１６】
（実施例１の構成）
図１は、本発明の実施例１における電源装置の構成を示すブロック図である。
【００１７】
この電源装置は、複写機、プリンタ、ＦＡＸ等の画像形成装置における制御部（例えば、定着器のヒータ制御回路等）に対して制御信号等を供給するものであり、ＡＣ電圧Ｅを出力するためのＡＣ電源としての商用電源（ＡＣ１００Ｖ電源）１０を有している。商用電源１０の出力側には、第２スイッチ手段２０、ゼロクロス回路３０及びゼロクロス制御部４０が縦続接続されている。更に、商用電源１０の出力側には、第１スイッチ手段５０を介して電源部（例えば、低圧電源部）６０が接続されている。
【００１８】
スイッチ手段２０は、ゼロクロス制御部４０から出力される第２スイッチ切替信号Ｐ１によりオン／オフ動作し、ゼロクロス回路３０に対する商用電源１０の供給／遮断を行うものである。ゼロクロス回路３０は、ＡＣ電圧Ｅのゼロクロスタイミングを検出してゼロクロス信号Ｐをゼロクロス制御部４０へ出力する回路である。ゼロクロス制御部４０は、入力されるゼロクロス信号Ｐを基に、スイッチ手段２０のオン／オフ動作を制御するための第２スイッチ切替信号Ｐ１と、スイッチ手段５０のオン／オフ動作を制御するための第１スイッチ切替信号Ｐ２等とを出力するものである。
【００１９】
第１スイッチ手段５０は、入力される第１スイッチ切替信号Ｐ２によりオン／オフ動作し、低圧電源部６０に対する商用電源１０の供給／遮断を行うものである。低圧電源部６０は、供給されるＡＣ電圧ＥをＤＣに変換して低圧のＤＣ電圧Ｖａを出力するものである。
【００２０】
図２は、図１の電源装置の構成例を示す回路図である。
商用電源１０からＡＣ電圧Ｅが供給される第２スイッチ手段２０及びゼロクロス回路３０の内、第２スイッチ手段２０は、スイッチング素子としての一要素であるリレー２１で構成されている。リレー２１は、第２スイッチ切替信号Ｐ１によりオン／オフ動作する機能を有している。
【００２１】
ゼロクロス回路３０は、ＡＣ電圧ＥをＤＣ電圧に全波整流する４個のダイオード３１−１〜３１−４を有し、このダイオード３１−１，３１−２のカソード側に、リレー２１を介して、電流制限抵抗３２の一端が接続されている。電流制限抵抗３２の他端と、ダイオード３１−３，３１−４のアノード側との間には、フォトカプラ３３が接続されている。フォトカプラ３３は、電流制限抵抗３２の他端とダイオード３１−３，３１−４のアノード側との間に接続された発光用のフォトダイオード３３ａと、受光用のフォトトランジスタ３３ｂとにより構成されている。フォトトランジスタ３３ｂのコレクタには、プルアップ抵抗３４を介して図示しない供給源によるＤＣ電圧Ｖｚが印加され、エミッタがグランドＧＮＤに接続されている。電流Ｉｐｃがフォトダイオード３３ａのアノード・カソード間に流れると、フォトダイオード３３ａが発光し、これがフォトトランジスタ３３ｂのゲートに受光され、このコレクタ側からゼロクロス信号Ｐが出力されるようになっている。
【００２２】
ゼロクロス制御部４０は、例えば中央処理装置（以下「ＣＰＵ」という。）４１で構成され、入力端子Ｉｎから入力されるゼロクロス信号Ｐを基に、ゼロクロスタイミングを演算し、所定時間後に、スイッチ切替信号Ｐ１，Ｐ２を出力端子ｏｕｔ１，ｏｕｔ２からそれぞれ出力する機能等を有している。
【００２３】
スイッチ手段５０は、スイッチング素子としての一要素であるリレー５１で構成されている。リレー５１は、スイッチ切替信号Ｐ２によりオン／オフ動作して、商用電源１０から供給されるＡＣ電圧Ｅを通過／遮断する機能を有し、この出力側に、低圧電源部６０ａが接続されている。
【００２４】
低圧電源部６０ａは、リレー５１を介して供給されるＡＣ電圧Ｅを全波整流するブリッジ整流ダイオード６１と、全波整流された整流電圧を平滑する平滑コンデンサ６２と、スイッチング制御デバイス６３とを有している。更に、平滑コンデンサ６２の出力側には、スイッチング制御デバイス６３の出力端子ｏｕｔから出力されるスイッチ切替信号によりオン／オフ動作するＤＣ／ＡＣ変換用のスイッチング素子（例えば、電界効果トランジスタ、以下「ＦＥＴ」という。）６４と、変圧器（以下「トランス」という。）６５の１次巻線６５ａとが、直列に接続されている。トランス６５の２次巻線６５ｂには、このＡＣ出力電圧を整流する整流ダイオード６６と、整流後の電圧を平滑して低電圧のＤＣ電圧Ｖａ（例えば、ＤＣ５Ｖ等）を出力する平滑コンデンサ６７とが接続されている。
【００２５】
（実施例１の電源装置の概略の動作）
図３は、図２の電源装置におけるゼロクロス検出時の各部波形を示す波形図である。更に、図４は、図２の電源装置においてリレー２１をオフした時の各部波形を示す波形図である。図３及び図４において、横軸は時間ｔ、縦軸は電圧である。
【００２６】
図３に示すように、ゼロクロス制御部４０の出力端子ｏｕｔ１から出力されるスイッチ切替信号Ｐ１によりリレー２１がオン状態になると、ＡＣ電圧Ｅがゼロクロス回路３０に印加される。すると、商用電源１０からダイオード３１−１，３１−２、リレー２１、電流制限抵抗３２を経由し、フォトカプラ３３、及びダイオード３１−４，３１−３を通り、フォトカプラ３３内のフォトダイオード３３ａがオン状態になって電流Ｉｐｃが流れる。
【００２７】
これにより、フォトカプラ３３内のフォトダイオード３３ａが発光し、フォトトランジスタ３３ｂがオンし、ＤＣ電圧Ｖｚとプルアップ抵抗３４で、フォトトランジスタ３３ｂのコレクタがプルアップされ、ゼロクロス信号Ｐが出力されて、ゼロクロス制御部４０の入力端子Ｉｎに入力される。
【００２８】
図４に示すように、時刻Ｔにおいて、ゼロクロス制御部４０の出力端子ｏｕｔ１から出力されるスイッチ切替信号Ｐ１により、リレー２１がオフ状態になると、フォトカプラ３３への電力供給が遮断されるため、ダイオード３１−１〜３１−４、電流制限抵抗３２、及びフォトカプラ３３内のフォトダイオード３３ａに流れる電流Ｉｐｃが遮断され、ゼロクロス信号Ｐも出力されなくなる。
【００２９】
ゼロクロス制御部４０の出力端子ｏｕｔ２から出力されるスイッチ切替信号Ｐ２により、リレー５１がオン状態になると、ＡＣ電圧Ｅが低圧電源部６０に印加される。すると、ＡＣ電圧Ｅが低圧電源部６０内のブリッジ整流ダイオード６１により全波整流され、これが平滑コンデンサ６２により平滑されてＤＣ電圧が生成される。そして、スイッチング制御デバイス６３によって適宜変動する間隔でＦＥＴ６４がスイッチングされ、前記平滑されたＤＣ電圧が矩形波の電圧に変換されてトランス６５の１次巻線６５ａに矩形波の電流が流れる。これにより、トランス６５の２次巻線６５ｂに矩形波の電流が誘起され、整流ダイオード６６により整流された後、平滑コンデンサ６７により平滑され、ＤＣ電圧Ｖａが出力される。
【００３０】
（実施例１の電源装置の詳細な動作）
図５は、図２の電源装置における詳細な動作を示すタイムチャートである。図５において、横軸は時間ｔ、縦軸は電圧である。
【００３１】
先ず、時刻Ｔ０において、図示しない電池等の電源からゼロクロス制御部４０へ駆動電力が供給され、ゼロクロス制御部４０が動作を開始する。
【００３２】
時刻Ｔ１において、ゼロクロス制御部４０は、リレー２１をオンさせるために、スイッチ切替信号Ｐｌを出力端子ｏｕｔ１から出力し、リレー２１をオンさせる。これにより、ＡＣ電圧Ｅがゼロクロス回路３０へ印加され、ゼロクロス回路３０が動作する。ゼロクロス回路３０では、ＡＣ電圧Ｅのゼロクロスタイミングを検出してゼロクロス信号Ｐをゼロクロス制御部４０へ出力する。
【００３３】
時刻Ｔ２において、低圧電源部６０に対して電力供給が必要になると、ゼロクロス制御部４０は、入力端子Ｉｎから入力されたゼロクロス信号Ｐを基に、スイッチ切替信号Ｐ２を出力してリレー５１をオンさせ、ＡＣ電圧Ｅを低圧電源部６０に印加させる。この時の具体的な動作を説明すると、ゼロクロス制御部４０は、入力されたゼロクロス信号Ｐの立ち上がりと立ち下がりのタイミングから、ＡＣ電圧Ｅの位相角が小さい時にリレー５１をオンするタイミングを演算し、高レベル（以下「Ｈレベル」という。）のスイッチ切替信号Ｐ２を出力してリレー５１をオンさせる。これにより、商用電源１０から低圧電源部６０への突入電流が抑制されつつ、低圧電源部６０へＡＣ電圧Ｅが印加され、この低圧電源部６０からＤＣ電圧Ｖａが出力される。
【００３４】
時刻Ｔ３において、低圧電源部６０から出力されるＤＣ電圧Ｖａが必要なくなると、ゼロクロス制御部４０は、ゼロクロス信号Ｐを基に、低レベル（以下「Ｌレベル」という。）のスイッチ切替信号Ｐ２を出力し、リレー５１をオフさせる。これにより、商用電源１０から低圧電源部６０への電力供給が遮断される。
【００３５】
時刻Ｔ４において、低圧電源部６０への電力供給が必要になる時まで、ゼロクロス制御部４０は、Ｌレベルのスイッチ切替信号Ｐ１を出力してリレー２１をオフする。これにより、商用電源１０からゼロクロス回路３０への電力供給が遮断される。その後、低圧電源部６０への電力供給を再度実施する時は、前記時刻Ｔ１の動作に戻る。
【００３６】
（実施例１の画像形成装置の動作）
本実施例１の電源装置は、例えば、画像形成装置のような電力制御や位相制御を必要とする製品一般に適用することができる。画像形成装置に対する位相制御の適用例を図６に示す。
【００３７】
図６は、本発明の実施例１における画像形成装置の位相制御例を示すヒータ制御回路の回路図である。
【００３８】
画像形成装置としての例えば電子写真プリンタにおいては、帯電した感光体ドラムをプリント情報に応じて選択的に光照射しで静電潜像を形成し、この静電潜像にトナーを付着させる現像を行ってトナー像を形成し、このトナー像を記録媒体としての用紙に転写した後、定着器のヒータにより加熱して定着させる構成になっている。
【００３９】
このような画像形成装置において、定着器のヒータ・オンの位相制御のために、図２のゼロクロス制御部４０から出力されるゼロクロス信号Ｐを、図６に示すようなヒータ制御回路のヒータ・オンのタイミングの基準として用いている。
【００４０】
図６のヒータ制御回路は、ゼロクロス制御部４０Ａから出力される制御信号Ｓを用いて定着器のヒータ７０に対するオン／オフ制御を行う回路である。ゼロクロス制御部４０Ａは、図２のゼロクロス制御部４０とほぼ同様に、ＣＰＵで構成され、図２のゼロクロス回路３０から出力されるゼロクロス信号Ｐに基づき、ゼロクロスタイミングを演算し、所定時間後に、スイッチ切替信号Ｐ１，Ｐ２を出力すると共に、制御信号Ｓを出力する機能を有している。
【００４１】
このヒータ制御回路では、ＡＣ電源７１に接続されるヒータ７０への通電が、双方向サイリスタであるトライアック７２により制御される。トライアック７２のオン／オフ状態を制御するための制御信号を生成する制御回路は、コンデンサ７３と、抵抗７４，７６と、その制御信号を制御するフォトトライアック７５とにより構成されている。フォトトライアック７５は、制御信号Ｓにより駆動される入力側のフォトダイオード７５ａと、このフォトダイオード７５ａの出力光によりオン／オフ状態が制御されるフォトトライアック本体７５ｂとにより構成されている。
【００４２】
このような構成のヒータ制御回路において、図２のゼロクロス回路３０から出力されたゼロクロス信号Ｐがゼロクロス制御部４０Ａに入力されると、このゼロクロス制御部４０Ａでは、ゼロクロス信号Ｐの立ち上がりと立ち下がりによって、所定時間後にフォトトライアック７５を駆動するための制御信号Ｓを出力する。すると、制御信号Ｓによってフォトトライアック７５内のフォトダイオード７５ｂが駆動されて発光し、このフォトダイオード７５ａの出力光によってフォトトライアック本体７５ｂがオン／オフ動作する。これにより、コンデンサ７３、抵抗７４，７６及びフォトトライアック７５により、トライアック７５のオン／オフ状態が制御され、ＡＣ電源７１によるヒータ７０への通電状態が制御され、ヒータ７０への突入電流が過大になることを防いでいる。
【００４３】
なお、図１中のスイッチ手段２０，５０は、図２に示すリレー２１，５１で構成したが、フォトトライアック等の他のスイッチング素子で構成しても良い。
【００４４】
（実施例１の効果）
本実施例１によれば、スイッチ手段２０により、ゼロクロス回路３０への電力供給を接続／遮断する構成にしたので、不必要な際にゼロクロス回路３０への電力供給を遮断することにより、ゼロクロス回路３０での無駄な消費電力を削減することができる。
【実施例２】
【００４５】
（実施例２の構成）
図７は、本発明の実施例２における電源装置の構成を示すブロック図であり、実施例１の電源装置を示す図１中の要素と共通の要素には共通の符号が付されている。
【００４６】
本実施例２の電源装置では、図１のゼロクロス制御部４０に代えて、これとは構成の異なるゼロクロス制御部４０Ｂが設けられている。ゼロクロス制御部４０Ｂは、所定周期のクロックＣＬＫを発生するクロック発生手段（例えば、タイマ）４２を有し、ゼロクロス回路３０から出力されるゼロクロス信号Ｐに基づき、前記クロックＣＬＫをゼロクロスタイミングに同期させ、このゼロクロスタイミングに同期した前記クロックＣＬＫのタイミングで、第１スイッチ手段５０のオン／オフ動作を制御するための第１スイッチ切替信号Ｐ２を出力し、ゼロクロス信号Ｐのタイミングで、第２スイッチ手段２０のオン／オフ動作を制御するための第２スイッチ切替信号Ｐ１を出力するものである。その他の構成は、図１に示す実施例１の電源装置と同様である。
【００４７】
図８は、図７の電源装置の構成例を示す回路図であり、実施例１の電源装置を示す図２中の要素と共通の要素には共通の符号が付されている。
【００４８】
ゼロクロス制御部４０Ｂは、演算・制御機能を有するＣＰＵ４１、及び所定周期のクロックＣＬＫを発生するタイマ４２等により構成され、ゼロクロス回路３０から出力されるゼロクロス信号Ｐを入力端子Ｉｎから入力し、このゼロクロス信号Ｐに基づき、前記クロックＣＬＫをゼロクロスタイミングに同期させ、このゼロクロスタイミングに同期した前記クロックＣＬＫのタイミングで、スイッチ手段５０のオン／オフ動作を制御するための第１スイッチ切替信号Ｐ２を出力端子ｏｕｔ２から出力し、ゼロクロス信号Ｐのタイミングで、スイッチ手段２０のオン／オフ動作を制御するための第２スイッチ切替信号Ｐ１を出力端子ｏｕｔ１から出力するものである。その他の構成は、図２に示す実施例１の電源装置と同様である。
【００４９】
（実施例２の電源装置の動作）
図９は、図８の電源装置における詳細な動作を示すタイムチャートである。図９おいて、横軸は時間ｔ、縦軸は電圧である。
【００５０】
先ず、時刻Ｔ１０において、図示しない電池等の電源からゼロクロス制御部４０Ｂへ駆動電力が供給され、ゼロクロス制御部４０Ｂ内のタイマ４２が動作を開始する。
【００５１】
時刻Ｔ１１において、ゼロクロス制御部４０Ｂ内のＣＰＵ４１は、Ｈレベルのスイッチ切替信号Ｐ１を出力端子ｏｕｔ１から出力してリレー２１をオンさせる。すると、ＡＣ電圧Ｅがゼロクロス回路３０に印加され、このゼロクロス回路３０が動作してゼロクロス信号Ｐが検出され、このゼロクロス信号Ｐがゼロクロス制御部４０Ｂの入力端子Ｉｎに入力される。
【００５２】
時刻Ｔ１２において、ＣＰＵ４１は、入力されたゼロクロス信号Ｐと、タイマ４２から発生したクロックＣＬＫとを比較し、このクロックＣＬＫの時間とゼロクロスタイミングを同期させ、ゼロクロスタイミングをクロックＣＬＫにて推定する。ゼロクロスタイミングの同期が終わると、ＣＰＵ４１は、Ｌレベルのスイッチ切替信号Ｐ１を出力端子ｏｕｔ１から出力してリレー２１をオフさせ、ゼロクロス回路３０への商用電源１０の供給を遮断する。
【００５３】
時刻Ｔ１３において、低圧電源部６０への電力供給が必要になった場合、ＣＰＵ４１は、ゼロクロスタイミングに同期したクロックＣＬＫの時間を基に、Ｈレベルのスイッチ切替信号Ｐ２を出力端子ｏｕｔ２から出力してリレー５１をオンさせ、商用電源１０を低圧電源部６０へ供給させる。この時の具体的な動作として、ＣＰＵ４１は、同期させたゼロクロスタイミングでＡＣ電圧Ｅの位相角が小さい時に、Ｈレベルのスイッチ切替信号Ｐ２を出力端子ｏｕｔ２から出力してリレー５１をオンさせる。これにより、商用電源１０から低圧電源部６０への突入電流が抑制されつつ、低圧電源部６０へＡＣ電圧Ｅが印加され、この低圧電源部６０からＤＣ電圧Ｖａが出力される。
【００５４】
時刻Ｔ１４において、低圧電源部６から出力されるＤＣ電圧Ｖａが必要なくなると、ＣＰＵ４１は、ゼロクロスタイミングを基に、Ｌレベルのスイッチ切替信号Ｐ２を出力端子ｏｕｔ２から出力してリレー５１をオフさせ、低圧電源部６０への電力供給を遮断する。その後、低圧電源部６０への電力供給を再度実施する時は、前記時刻Ｔ１３の動作に戻る。
【００５５】
なお、タイマ４２は、ゼロクロス制御部４０内に設けられているが、ゼロクロス制御部４０の外部に設けても良い。
【００５６】
（実施例２の効果）
本実施例２によれば、タイマ４２から出力されるクロックＣＬＫに基づき、ＣＰＵ４１にてゼロクロスタイミングを推定し、スイッチ手段２０によってゼロクロス回路３０への電力供給を接続／遮断する構成にしたので、実施例１に比べて、ゼロクロス回路３０での消費電力を更に削減することができる。
【００５７】
（実施例１、２の他の変形例）
本発明は、上記実施例１、２やその変形例に限定されず、その他の種々の利用形態や変形が可能である。この利用形態や変形例としては、例えば、次の（Ｉ）、（ＩＩ）のようなものがある。
【００５８】
（Ｉ）  実施例１、２では、ゼロクロス回路３０や低圧電源部６０への電力供給又は遮断に、スイッチ手段２０，５０としてリレー２１，５１を使用した例を説明したが、フォトトライアック等の他のスイッチング素子でも適用可能である。
【００５９】
（ＩＩ）  ゼロクロス回路３０、ゼロクロス制御部４０，４０Ａ，４０Ｂ、及び低圧電源部６０は、図示の回路構成に限定されず、図示以外の回路構成に変更しても良い。例えば、タイマ４２に代えて、発振器等の他のクロック発生手段を設けても良い。
【符号の説明】
【００６０】
１０      商用電源
２０，５０      スイッチ手段
２１，５１      リレー
３０      ゼロクロス回路
４０，４０Ａ，４０Ｂ      ゼロクロス制御部
４１      ＣＰＵ
４２      タイマ
６０      低圧電源部
【図１】
0005138735.tif 000002
【図２】
0005138735.tif 000003
【図３】
0005138735.tif 000004
【図４】
0005138735.tif 000005
【図５】
0005138735.tif 000006
【図６】
0005138735.tif 000007
【図７】
0005138735.tif 000008
【図８】
0005138735.tif 000009
【図９】
0005138735.tif 000010